(57)【要約】【課題】  閉止部材と、これを使用して開閉可能に袋容器の開口のシール性を確保した安価な搬送容器を提供する【解決手段】  容器枠１とその内部に収納される樹脂フィルム製の袋容器３を備え、袋容器３にはこれより延出する扁平な帯状の給排用開口部３２が形成されている。閉止部材４は、長尺の樹脂製基体４１の一側縁に嵌合凹部４２が形成されるとともに他側縁に嵌合凸部４３が形成され、基体４１の中央部４４が薄肉とされて当該中央部４４に沿って折り曲げることにより嵌合凸部４３が嵌合凹部４２に進入し嵌合する。給排用開口部３２を閉止部材４の切離し部４５に挿通した状態で嵌合凸部４３と嵌合凹部４２を嵌合させて給排用開口部３２を閉止する。【選択図】        図１
2006315690.tif 000002
【特許請求の範囲】
【請求項１】
長尺の樹脂製基体の一側縁に嵌合凹部が形成されるとともに他側縁に嵌合凸部が形成され、前記基体の中央部が薄肉とされて当該中央部に沿って折り曲げることにより嵌合凸部が嵌合凹部に進入し嵌合するようになし、かつ前記中央部にはこれに沿って延びる所定長の切り離し部を形成したことを特徴とする閉止部材
【請求項２】
前記基体の一側縁と他側縁の端面を略平行に傾斜させた請求項１に記載の閉止部材。
【請求項３】
請求項１又は２に記載の閉止部材を使用した搬送容器であって、容器枠とその内部に収納される樹脂フィルム製の袋容器を備え、当該袋容器にはこれより延出する扁平な帯状の給排用開口部が形成されており、当該給排用開口部を前記切り離し部に挿通した状態で前記嵌合凸部と嵌合凹部を嵌合させて前記給排用開口部を閉止してあることを特徴とする搬送容器。
【発明の詳細な説明】
【技術分野】
【０００１】
本発明は閉止部材とこれを使用した搬送容器に関するものである。
【背景技術】
【０００２】
近年、流体や粉体、あるいは果実や水産品等の搬送のために従来のスチール缶やダンボール箱に代えて、再使用可能な容器枠内に樹脂フィルム製の袋容器を収納したものが利用されつつあり、その一例を図９に示す。図９において、容器枠１は、上方へ開放し側壁１が孔空きの樹脂板よりなる容器部１１と、当該容器部の開口に覆着される蓋部１２とからなる。蓋部１２には一部に袋容器２のキャップ部２１を挿通するための抜き穴１３が形成されて、ラベル１４で閉鎖されている。一方、袋容器２にはその一部に筒開口２２が形成されてこれに上記キャップ２１が装着されている。このような搬送容器を使用する場合には、袋容器２を容器枠１の容器部１１内に挿置し、蓋部１２の抜き穴１３を閉鎖しているラベル１４を一部剥がして、キャップ２１が装着された袋容器２の筒開口２２を外方へ引き出す（図１０）。この状態で、キャップ２１を外して筒開口２２から袋容器２内へ流体や粉体を注入する。
【０００３】
なお、特許文献１には内側咬合子と外側咬合子を備えた袋用の帯状チャック体が示されている。
【特許文献１】特開２００３−９３１１５
【発明の開示】
【発明が解決しようとする課題】
【０００４】
しかし、上記従来の搬送容器では、袋容器２の一部に立体的な筒開口２２を形成する必要があるために成形に手間を要し、コスト高になるという問題があった。
【０００５】
そこで、本発明はこのような課題を解決するもので、閉止部材と、これを使用して開閉可能に袋容器の開口のシール性を確保した安価な搬送容器を提供することを目的とする。
【課題を解決するための手段】
【０００６】
上記目的を達成するために、本第１発明の閉止部材（４）は、長尺の樹脂製基体（４１）の一側縁に嵌合凹部（４２）が形成されるとともに他側縁に嵌合凸部（４３）が形成され、基体（４１）の中央部（４４）が薄肉とされて当該中央部（４４）に沿って折り曲げることにより嵌合凸部（４３）が嵌合凹部（４２）に進入し嵌合するようになし、かつ中央部（４４）にはこれに沿って延びる所定長の切離し部（４５）が形成されている。本第１発明においては、袋容器の開口部を閉止部材の切離し部に挿通した後、閉止部材の中央部に沿って折り曲げて、嵌合凸部を嵌合凹部に進入嵌合させることにより、安価かつ容易に袋容器のシール性を開閉可能に確保することができる。
【０００７】
本第２発明の閉止部材では、上記基体（４１）の一側縁の端面（４１ａ）と他側縁の端面（４１ｂ）を略平行に傾斜させる。本第２発明においては、上記中央部に沿って折り曲げて嵌合凸部と嵌合凹部を嵌合させた際に、基体の一側縁側と他側縁側で各端面が互いにずれる。これにより、互いにずれた両側縁を持って引っ張ることで嵌合凸部と嵌合凹部を容易に離間させてその嵌合状態を解消することができる。
【０００８】
本第３発明の搬送容器は、容器枠（１）とその内部に収納される樹脂フィルム製の袋容器（３）を備え、当該袋容器（３）にはこれより延出する扁平な帯状の給排用開口部（３２）が形成されており、当該給排用開口部（３２）を本第１発明の閉止部材の切離し部（４５）に挿通した状態で嵌合凸部（４３）と嵌合凹部（４２）を嵌合させて給排用開口部（３２）を閉止してある。本第３発明においては、袋容器の扁平な帯状の給排用開口部を閉止部材の切離し部に挿通した後、閉止部材を中央部に沿って折り曲げて、嵌合凸部を嵌合凹部に進入嵌合させることにより、安価かつ容易に袋容器のシール性を開閉可能に確保することができる。
【０００９】
なお、上記カッコ内の符号は、後述する実施形態に記載の具体的手段との対応関係を示すものである。
【発明の効果】
【００１０】
以上のように、本発明によれば、閉止部材によって、搬送容器の袋容器の開口のシール性を簡易且つ安価に確保することができる。
【発明を実施するための最良の形態】
【００１１】
（第１実施形態）
図１に本発明の搬送容器の一例を示す。搬送容器は容器枠１と袋容器３を備えており、容器枠１は従来と同一構造で、同一部分には同一符号を付してある。袋容器３は、二枚重ねにした略矩形の樹脂フィルムの外周を熱融着して袋状の容器部３１としたもので、その一部は外方へ延出させられて延出端が開放し、扁平な帯状の給排用開口部３２となっている。給排用開口部３２を閉鎖する場合にはこれに閉止部材４を装着して行う。以下、閉止部材の詳細を説明する。
【００１２】
図２において、閉止部材４は樹脂材よりなり、上記給排用開口部３２を横断するに十分な長さを有する長尺の基体４１を有している。基体４１は、押し出し成形等によって成形された帯状体を必要長さに切断するか、あるいは射出成形等によって予め所定の長さで成形される。上記閉止部材４を構成する合成樹脂材は要求される閉止性能に応じて、ポリプロピレンやポリエチレン、塩化ビニル等を適宜使用することができる。閉止部材４の基体４１には図３に示すように、一方の側縁に沿って略Ｕ字断面の嵌合凹部４２が形成され、他方の側縁にはこれに沿って傘状断面に突出する嵌合凸部４３が形成されている。また、基体４１の中央部４４は薄肉としてあり、ここには給排用開口部３２（図１）の幅よりも長く延びる切離し部４５が形成されている。
【００１３】
搬送容器を使用する場合には、袋容器３を容器枠１の容器部１１内に収納し、蓋部１２の抜き穴１３を閉鎖するラベル１４を一部剥がして給排用開口部３２を容器部１１外へ引き出す。そして給排用開口部３２から容器部３１内へ流体や粉体を注入し、その後、給排用開口部３２を閉止部材４の切離し部４５に通してこれを給排用開口部３２に装着する。この後、閉止部材４を薄肉の中央部４４で折り曲げて嵌合凸部４３を嵌合凹部４２内に進入させる。これにより、図４に示すように、嵌合凸部４３と嵌合凹部４２が嵌合状態となって閉止部材４が給排用開口部３２に固定され、同時に、図５に示すように給排用開口部３２が嵌合凸部４３と嵌合凹部４２の間で両側面が密接した状態で深く屈曲させられて、液密性および気密性を有する閉鎖状態となる。給排用開口部３２を開放する場合には、閉止部材４の嵌合凸部４３と嵌合凹部４２を離間させてその嵌合状態を解消し、閉止部材４を給排用開口部３２から抜き出す。
【００１４】
このような搬送容器によれば、袋容器の一部に従来のような筒開口を設ける必要が無く、袋容器の容器部と扁平な給排用開口部とを一体かつ容易に成形することができるから、搬送容器を安価に実現することができる。
【００１５】
（第２実施形態）
閉止部材４の基体４１の端面４１ａ，４１ｂを図６に示すように略平行に傾斜させておくと、中央部４４で折り曲げて嵌合凸部４３と嵌合凹部４２を嵌合させた際に、閉止部材４の端部において、鎖線で示すように、基体４１の端面４１ａ，４１ｂが一側縁側と他側縁側で互いにずれる。これにより、互いにずれた両側縁を持って引っ張ることで嵌合凸部４３と嵌合凹部４２を容易に離間させてその嵌合状態を解消することができる。
【００１６】
（第３実施形態）
閉止部材４の、Ｕ字断面状嵌合凹部４２の底壁に図７に示すようにゴム層４６を形成すると、係合凸部４３が進入した際にその先端がゴム層４６に密接してさらにシール性を向上させることができる。
【００１７】
（第４実施形態）
図８に示すように、基体４１の一側縁側と他側縁側にそれぞれ一対の嵌合凹部と嵌合凸部を設けて、閉止部材４を中央部４４で折り曲げた際に各嵌合凸部４３が各嵌合凹部４２内に進入嵌合するようにすれば、さらに良好な気密性や液密性を確保することができる。なお、嵌合凹部と嵌合凸部を各３個以上設けてももちろん良い。
【００１８】
（その他の実施形態）
上記各実施形態において、袋容器３の給排用開口部３２は必ずしも容器枠１外へ引き出す必要はない。また、閉止部材４は搬送容器に使用する以外に、種々の袋容器の開口を、気密性や液密性を確保して閉止する用途に広く使用することができる。
【図面の簡単な説明】
【００１９】
【図１】本発明の第１実施形態における搬送容器の分解斜視図である。
【図２】閉止部材の平面図である。
【図３】閉止部材の端部斜視図である。
【図４】閉止部材で袋容器の給排用開口部を閉止した状態の搬送容器の斜視図である。
【図５】閉止部材を折り曲げた使用状態の断面図で、図４のV−V線に沿った断面図である。
【図６】本発明の第２実施形態における閉止部材の平面図である。
【図７】本発明の第３実施形態における閉止部材の要部斜視図である。
【図８】本発明の第４実施形態における閉止部材の断面図である。
【図９】従来の搬送容器の分解斜視図である。
【図１０】従来の搬送容器の斜視図である。
【符号の説明】
【００２０】
１…容器枠、３…袋容器、３２…給排用開口部、４…閉止部材、４１…基体、４２…嵌合凹部、４３…嵌合凸部、４４…中央部、４５…切離し部。
【図１】
2006315690.tif 000003
【図２】
2006315690.tif 000004
【図３】
2006315690.tif 000005
【図４】
2006315690.tif 000006
【図５】
2006315690.tif 000007
【図６】
2006315690.tif 000008
【図７】
2006315690.tif 000009
【図８】
2006315690.tif 000010
【図９】
2006315690.tif 000011
【図１０】
2006315690.tif 000012